(57)【要約】  カメラアセンブリ（１００）およびモバイル電子装置（１０００）が提供される。カメラアセンブリ（１００）は、少なくとも２つのレンズイメージセンサ（１２）を備える。各イメージセンサ（１２）は、画素アレイ（１２２）と制御回路（１２４）とを備える。画素アレイ（１２２）は、光検知領域（１２２２）と撮像領域（１２２４）とを備える。制御回路（１２４）は、光検知命令を受信した場合に、照度を検出するように光検知領域（１２２２）を制御し、撮像命令を受信した場合に、画像を取得するように撮像領域（１２２４）を制御するように構成される。モバイル電子装置（１０００）は、カメラアセンブリ（１００）とプロセッサ（２００）とを備える。プロセッサ（２００）は、光検知命令および撮像命令を生成するように構成される。
2020504953.tif 000002
【特許請求の範囲】
【請求項１】
少なくとも２つのイメージセンサ（１２）を備えるカメラアセンブリ（１００）であって、各イメージセンサ（１２）が、
光検知領域（１２２２）と撮像領域（１２２４）とを備える画素アレイ（１２２）と、
制御回路（１２４）であって、
光検知命令が受信された場合に照度を検出するように前記光検知領域（１２２２）を制御し、
撮像命令が受信された場合に画像を取得するように前記撮像領域（１２２４）を制御する、
ように構成された制御回路（１２４）と、
を備える、カメラアセンブリ（１００）。
【請求項２】
各イメージセンサ（１２）の前記撮像領域（１２２４）が連続しており、前記画素アレイ（１２２）の中央に位置し、各イメージセンサ（１２）の前記光検知領域（１２２２）が前記イメージセンサ（１２）の前記撮像領域（１２２４）の周囲に位置している、請求項１に記載のカメラアセンブリ（１００）。
【請求項３】
各イメージセンサ（１２）の前記光検知領域（１２２２）が、基本的に同じ面積を有し、かつ互いに離間した少なくとも２つの光検知サブ領域（１２２５）を含む、請求項２に記載のカメラアセンブリ（１００）。
【請求項４】
前記少なくとも２つの光検知サブ領域（１２２５）が、前記撮像領域（１２２４）の左側にある左側光検知サブ領域（１２２６）と、前記撮像領域（１２２４）の右側にある右側光検知サブ領域（１２２７）と、を含み、前記左側光検知サブ領域（１２２６）と前記右側光検知サブ領域（１２２７）とが対称に配置され、前記左側光検知サブ領域（１２２６）が、左側の照度を検出するように構成され、前記右側光検知サブ領域（１２２７）が、右側の照度を検出するように構成され、前記光検知領域（１２２２）によって検出される前記照度が、前記左側の照度と前記右側の照度との平均値である、または
前記少なくとも２つの光検知サブ領域（１２２５）が、前記撮像領域（１２２４）の上方にある上方光検知サブ領域（１２２８）と、前記撮像領域（１２２４）の下方にある下方光検知サブ領域（１２２９）と、を含み、前記上方光検知サブ領域（１２２８）と前記下方光検知サブ領域（１２２９）とが対称に配置され、前記上方光検知サブ領域（１２２８）が、上方の照度を検出するように構成され、前記下方光検知サブ領域（１２２９）が、下方の照度を検出するように構成され、前記光検知領域（１２２２）によって検出される前記照度が、前記上方の照度と前記下方の照度との平均値である、または
前記少なくとも２つの光検知サブ領域（１２２５）が、前記撮像領域（１２２４）の左側にある左側光検知サブ領域（１２２６）と、前記撮像領域（１２２４）の右側にある右側光検知サブ領域（１２２７）と、前記撮像領域（１２２４）の上方にある上方光検知サブ領域（１２２８）と、前記撮像領域（１２２４）の下方にある下方光検知サブ領域（１２２９）と、を含み、前記左側光検知サブ領域（１２２６）と前記右側光検知サブ領域（１２２７）とが対称に配置され、前記上方光検知サブ領域（１２２８）と前記下方光検知サブ領域（１２２９）とが対称に配置され、前記左側光検知サブ領域（１２２６）が、左側の照度を検出するように構成され、前記右側光検知サブ領域（１２２７）が、右側の照度を検出するように構成され、前記上方光検知サブ領域（１２２８）が、上方の照度を検出するように構成され、前記下方光検知サブ領域（１２２９）が、下方の照度を検出するように構成され、前記光検知領域（１２２２）によって検出された前記照度が、前記左側の照度と、前記右側の照度と、前記上方の照度と、前記下方の照度と、の平均値である、請求項３に記載のカメラアセンブリ（１００）。
【請求項５】
１つのイメージセンサ（１２）の前記画素アレイ（１２２）が、円および楕円のうちの一方の形状であり、前記イメージセンサ（１２）の前記撮像領域（１２２４）が、前記画素アレイ（１２２）の内接矩形の形状であり、前記イメージセンサ（１２）の前記光検知領域（１２２２）が、前記円および前記楕円のうちの一方の内接矩形以外の領域を含む、ならびに／または
１つのイメージセンサ（１２）の前記画素アレイ（１２２）が、矩形の形状であり、前記イメージセンサ（１２）の前記撮像領域（１２２４）が、矩形の内接円および内接楕円のうちの一方の形状であり、前記イメージセンサ（１２）の前記光検知領域（１２２２）が、前記矩形の前記内接円および前記内接楕円のうちの前記一方以外の領域を含む、請求項１から４のいずれか一項に記載のカメラアセンブリ（１００）。
【請求項６】
各イメージセンサ（１２）の前記撮像領域（１２２４）が連続しており、各イメージセンサ（１２）の前記光検知領域（１２２２）が連続しており、各イメージセンサ（１２）の前記撮像領域（１２２４）と前記光検知領域（１２２２）とが共通の境界を共有している、請求項１から４のいずれか一項に記載のカメラアセンブリ（１００）。
【請求項７】
各イメージセンサ（１２）の前記画素アレイ（１２２）が、以下の条件、すなわち、前記イメージセンサ（１２）の前記画素アレイ（１２２）の面積に対する前記イメージセンサ（１２）の前記撮像領域（１２２４）の面積の比が０．６以上であることと、前記イメージセンサ（１２）の前記画素アレイの面積（１２２）に対する前記イメージセンサ（１２）の前記光検知領域（１２２２）の面積の比が、０．１以上であることと、のうちの少なくとも１つが満たされるように構成される、および／または
前記少なくとも２つのイメージセンサ（１２）のうちの１つの前記撮像領域（１２２４）の面積が、前記少なくとも２つのイメージセンサ（１２）のうちの別の１つの前記撮像領域（１２２４）の面積よりも大きい、請求項１から６のいずれか一項に記載のカメラアセンブリ（１００）。
【請求項８】
請求項１から７のいずれか一項に記載のカメラアセンブリ（１００）とプロセッサ（２００）とを備える、モバイル電子装置（１０００）であって、
前記プロセッサ（２００）が、前記光検知命令および前記撮像命令を生成するように構成される、モバイル電子装置（１０００）。
【請求項９】
前記モバイル電子装置（１０００）が、前方カメラアセンブリ（１００ａ）として構成された１つのカメラアセンブリ（１００）を備え、
前記カメラアセンブリ（１００）の少なくとも２つのイメージセンサ（１２）の光検知領域（１２２２）が、第１の照度および第２の照度をそれぞれ検出した場合に、前記プロセッサ（２００）は、
前記第１の照度および前記第２の照度のうちの最大のものを最終照度として決定する、または
前記第１の照度と前記第２の照度との平均値を最終照度として求める、
ように構成される、請求項８に記載のモバイル電子装置（１０００）。
【請求項１０】
前記モバイル電子装置（１０００）が、少なくとも２つのカメラアセンブリ（１００）を備え、前記少なくとも２つのカメラアセンブリ（１００）のうちの１つが、前方カメラアセンブリ（１００ａ）として構成され、前記少なくとも２つのカメラアセンブリ（１００）のうちの別の１つが、後方カメラアセンブリ（１００ｂ）として構成され、
前記前方カメラアセンブリ（１００ａ）の２つの光検知領域（１２２２）が、第１の照度および第２の照度をそれぞれ検出し、前記後方カメラアセンブリ（１００ｂ）の２つの光検知領域（１２２２）が、第３の照度および第４の照度をそれぞれ検出する場合、前記プロセッサ（２００）は、
前記第１の照度、前記第２の照度、前記第３の照度、および前記第４の照度のうちの最大のものを最終照度として決定する、または
前方の照度として前記第１の照度と前記第２の照度との平均値を求め、後方の照度として前記第３の照度と前記第４の照度との平均値を求め、前記前方の照度と前記後方の照度とのうちの最大のものを最終照度として決定する、または
前記第１の照度および前記第２の照度のうちの最大のものを前方の照度として決定し、前記第３の照度と前記第４の照度との平均値を後方の照度として求め、前記前方の照度および前記後方の照度のうちの最大のものを最終照度として決定する、または
前方の照度として前記第１の照度と前記第２の照度との平均値を求め、前記第３の照度および前記第４の照度のうちの最大のものを後方の照度として決定し、前記前方の照度および前記後方の照度のうちの最大のものを最終照度として決定する、
ように構成される、請求項８に記載のモバイル電子装置（１０００）。
【請求項１１】
前記モバイル電子装置（１０００）が、少なくとも２つのカメラアセンブリ（１００）を備え、前記少なくとも２つのカメラアセンブリ（１００）のうちの１つが、前方カメラアセンブリ（１００ａ）として構成され、前記少なくとも２つのカメラアセンブリ（１００）のうちの別の１つが、後方カメラアセンブリ（１００ｂ）として構成され、
前記前方カメラアセンブリ（１００ａ）の光検知領域（１２２２）が第１の照度を検出し、前記後方カメラアセンブリ（１００ｂ）の光検知領域（１２２２）が第２の照度を検出した場合に、前記プロセッサ（２００）が、
前記第１の照度および前記第２の照度のうちの最大のものを最終照度として決定する、
ように構成される、請求項８に記載のモバイル電子装置（１０００）。
【請求項１２】
前記モバイル電子装置（１０００）が、少なくとも２つのカメラアセンブリ（１００）を備え、前記少なくとも２つのカメラアセンブリ（１００）のうちの１つが、前方カメラアセンブリ（１００ａ）として構成され、前記少なくとも２つのカメラアセンブリ（１００）のうちの別の１つが、後方カメラアセンブリ（１００ｂ）として構成され、
前記前方カメラアセンブリ（１００ａ）の２つの光検知領域（１２２２）が、第１の照度および第２の照度をそれぞれ検出し、前記後方カメラアセンブリ（１００ｂ）の光検知領域（１２２２）が、第３の照度を検出した場合に、前記プロセッサ（２００）が、
前記第１の照度および前記第２の照度のうちの最大のものを前方の照度として決定し、前記前方の照度および前記第３の照度のうちの最大のものを最終照度として決定する、または
前記第１の照度と前記第２の照度との平均値を前方の照度として求め、前記前方の照度および前記第３の照度のうちの最大のものを最終照度として求める、
ように構成される、請求項８に記載のモバイル電子装置（１０００）。
【請求項１３】
前記モバイル電子装置（１０００）が、少なくとも２つのカメラアセンブリ（１００）を備え、前記少なくとも２つのカメラアセンブリ（１００）のうちの１つが、前方カメラアセンブリ（１００ａ）として構成され、前記少なくとも２つのカメラアセンブリ（１００）のうちの別の１つが、後方カメラアセンブリ（１００ｂ）として構成され、
前記前方カメラアセンブリ（１００ａ）の光検知領域（１２２２）が、第１の照度を検出し、前記後方カメラアセンブリ（１００ｂ）の２つの光検知領域（１２２２）が、第２の照度および第３の照度をそれぞれ検出した場合に、前記プロセッサ（２００）が、
前記第２の照度および前記第３の照度のうちの最大のものを後方の照度として決定し、前記後方の照度および前記第１の照度のうちの最大のものを最終照度として決定する、または
前記第２の照度と前記第３の照度との平均値を後方の照度として求め、前記後方の照度および前記第１の照度のうちの最大のものを最終照度として求める、
ように構成される、請求項８に記載のモバイル電子装置（１０００）。
【請求項１４】
別のカメラアセンブリ（６００）をさらに備え、前記別のカメラアセンブリ（６００）が、イメージセンサ（３０）であって、
光検知領域（３２２）と撮像領域（３２４）とを備える、画素アレイ（３２）と、
制御回路（３４）であって、
前記光検知命令が受信された場合に、照度を検出するように前記別のカメラアセンブリ（６００）の前記撮像センサ（３０）の前記光検知領域（３２２）を制御し、
前記撮像命令を受信した場合に、画像を取得するように前記別のカメラアセンブリ（６００）の前記撮像センサ（３０）の前記撮像領域（３２４）を制御する、
ように構成される制御回路（３４）と、
を備えるイメージセンサ（３０）を備える、請求項８から１３のいずれか一項に記載のモバイル電子装置（１０００）。
【請求項１５】
前記モバイル電子装置（１０００）が、前方カメラアセンブリ（１００ａ）および後方カメラアセンブリ（１００ｂ）のうちの一方として構成された１つのカメラアセンブリ（１００）を備え、前記別のカメラアセンブリ（６００）が、前記前方カメラアセンブリ（１００ａ）および前記後方カメラアセンブリ（１００ｂ）の他方として構成される、請求項１４に記載のモバイル電子装置（１０００）。
【発明の詳細な説明】
【技術分野】
【０００１】
関連出願の相互参照
本出願は、２０１７年５月３日に出願された中国特許出願第２０１７１０３０５８９１．５号を基礎とする優先権を主張し、その開示内容のすべてが参照により本明細書に組み込まれる。
【０００２】
本開示は電子装置に関し、より詳細には、カメラアセンブリおよびモバイル電子装置に関する。
【背景技術】
【０００３】
典型的には、セルフィーを取り込むために電話機に前方カメラを設けることができ、周囲の明るさに応じて電話機の画面の表示輝度を調整するために光学センサを設けることができる。しかしながら、前方カメラと光学センサとの両方が電話機に設けられると、それらによって大きなスペースが占有され、電話機内で表示画面を配置するためのスペースが減少し、従って画面対本体比が低下する。
【発明の概要】
【課題を解決するための手段】
【０００４】
本開示の実施形態は、カメラアセンブリおよびモバイル電子装置を提供する。
【０００５】
本開示の実施形態によるカメラアセンブリは、少なくとも２つのイメージセンサを備える。各イメージセンサは、画素アレイと制御回路とを備える。画素アレイは、光検知領域と撮像領域とを備える。制御回路は、光検知命令が受信された場合に、照度を検出するように光検知領域を制御し、撮像命令を受信した場合に、画像を取得するように撮像領域を制御する、ように構成される。
【０００６】
一実施形態では、各イメージセンサの撮像領域は連続しており、画素アレイの中央に位置し、各イメージセンサの光検知領域は上記イメージセンサの撮像領域の周囲に位置している。
【０００７】
一実施形態では、各イメージセンサの光検知領域は、基本的に同じ面積を有し、かつ互いに離間した少なくとも２つの光検知サブ領域を含む。
【０００８】
一実施形態では、少なくとも２つの光検知サブ領域は、撮像領域の左側にある左側光検知サブ領域と、撮像領域の右側にある右側光検知サブ領域と、を含む。左側光検知サブ領域と右側光検知サブ領域とは対称に配置されている。左側光検知サブ領域は、左側の照度を検出するように構成される。右側光検知サブ領域は、右側の照度を検出するように構成され、光検知領域によって検出される照度は、左側の照度と右側の照度との平均値である。
【０００９】
一実施形態では、少なくとも２つの光検知サブ領域は、撮像領域の上方にある上方光検知サブ領域と、撮像領域の下方にある下方光検知サブ領域と、を含む。上方光検知サブ領域と下方光検知サブ領域とは対称に配置されている。上方光検知サブ領域は、上方の照度を検出するように構成される。下方光検知サブ領域は、下方の照度を検出するように構成され、光検知領域によって検出される照度は、上方の照度と下方の照度との平均値である。
【００１０】
一実施形態では、少なくとも２つの光検知サブ領域は、撮像領域の左側にある左側光検知サブ領域と、撮像領域の右側にある右側光検知サブ領域と、撮像領域の上方にある上方光検知サブ領域と、撮像領域の下方にある下方光検知サブ領域と、を含む。左側光検知サブ領域と右側光検知サブ領域とは対称に配置されている。上方光検知サブ領域と下方光検知サブ領域とは対称に配置されている。左側光検知サブ領域は、左側の照度を検出するように構成される。右側光検知サブ領域は、右側の照度を検出するように構成される。上方光検知サブ領域は、上方の照度を検出するように構成される。下方光検知サブ領域は、下方の照度を検出するように構成され、光検知領域によって検出された照度は、左側の照度と、右側の照度と、上方の照度と、下方の照度と、の平均値である。
【００１１】
一実施形態では、１つのイメージセンサの画素アレイは、円および楕円のうちの一方の形状であり、上記イメージセンサの撮像領域は、画素アレイの内接矩形の形状である。上記イメージセンサの光検知領域は、円および楕円のうちの一方の内接矩形以外の領域を含む。
【００１２】
一実施形態では、１つのイメージセンサの画素アレイは、矩形の形状であり、上記イメージセンサの撮像領域は、矩形の内接円および内接楕円のうちの一方の形状であり、上記イメージセンサの光検知領域は、矩形の内接円および内接楕円のうちの一方以外の領域を含む。
【００１３】
一実施形態では、各イメージセンサの撮像領域は連続しており、各イメージセンサの光検知領域は連続している。各イメージセンサの撮像領域と光検知領域とは共通の境界を共有している。
【００１４】
一実施形態では、各イメージセンサの画素アレイは、以下の条件、すなわち、上記イメージセンサの画素アレイの面積に対する上記イメージセンサの撮像領域の面積の比が０．６以上であることと、上記イメージセンサの画素アレイの面積に対する上記イメージセンサの光検知領域の面積の比が、０．１以上であることと、のうちの少なくとも１つが満たされるように構成される。
【００１５】
一実施形態では、少なくとも２つのイメージセンサのうちの１つの撮像領域の面積が、少なくとも２つのイメージセンサのうちの別の１つの撮像領域の面積よりも大きい。
【００１６】
本開示の実施形態によるモバイル電子装置は、上記のカメラアセンブリを備える。モバイル電子装置は、プロセッサをさらに備える。プロセッサは、光検知命令および撮像命令を生成するように構成される。
【００１７】
一実施形態では、モバイル電子装置は、前方カメラアセンブリとして構成された１つのカメラアセンブリを備える。カメラアセンブリの少なくとも２つのイメージセンサの光検知領域が、第１の照度および第２の照度をそれぞれ検出した場合、プロセッサは、第１の照度および第２の照度のうちの最大のものを最終照度として決定する、または第１の照度と第２の照度との平均値を最終照度として求める、ように構成される。
【００１８】
一実施形態では、モバイル電子装置は、少なくとも２つのカメラアセンブリを備え、少なくとも２つのカメラアセンブリのうちの１つが、前方カメラアセンブリとして構成され、少なくとも２つのカメラアセンブリのうちの別の１つが、後方カメラアセンブリとして構成される。前方カメラアセンブリの２つの光検知領域が、第１の照度および第２の照度をそれぞれ検出し、後方カメラアセンブリの２つの光検知領域が、第３の照度および第４の照度をそれぞれ検出する場合、プロセッサは、第１の照度、第２の照度、第３の照度、および第４の照度のうちの最大のものを最終照度として決定する、または前方の照度として第１の照度と第２の照度との平均値を求め、後方の照度として第３の照度と第４の照度との平均値を求め、前方の照度と後方の照度とのうちの最大のものを最終照度として決定する、または第１の照度および第２の照度のうちの最大のものを前方の照度として決定し、第３の照度と第４の照度との平均値を後方の照度として求め、前方の照度および後方の照度のうちの最大のものを最終照度として決定する、または前方の照度として第１の照度と第２の照度との平均値を求め、第３の照度および第４の照度のうちの最大のものを後方の照度として決定し、前方の照度および後方の照度のうちの最大のものを最終照度として決定する、ように構成される。
【００１９】
一実施形態では、モバイル電子装置は、少なくとも２つのカメラアセンブリを備え、少なくとも２つのカメラアセンブリのうちの１つが、前方カメラアセンブリとして構成され、少なくとも２つのカメラアセンブリのうちの別の１つが、後方カメラアセンブリとして構成される。前方カメラアセンブリの光検知領域が第１の照度を検出し、後方カメラアセンブリの光検知領域が第２の照度を検出した場合に、プロセッサは、第１の照度および第２の照度のうちの最大のものを最終照度として決定するように構成される。
【００２０】
一実施形態では、モバイル電子装置は、少なくとも２つのカメラアセンブリを備え、少なくとも２つのカメラアセンブリのうちの１つが、前方カメラアセンブリとして構成され、少なくとも２つのカメラアセンブリのうちの別の１つが、後方カメラアセンブリとして構成される。前方カメラアセンブリの２つの光検知領域が、第１の照度および第２の照度をそれぞれ検出し、後方カメラアセンブリの光検知領域が、第３の照度を検出した場合に、プロセッサは、第１の照度および第２の照度のうちの最大のものを前方の照度として決定し、前方の照度および第３の照度のうちの最大のものを最終照度として決定する、または第１の照度と第２の照度との平均値を前方の照度として求め、前方の照度および第３の照度のうちの最大のものを最終照度として求める、ように構成される。
【００２１】
一実施形態では、モバイル電子装置は、少なくとも２つのカメラアセンブリを備え、少なくとも２つのカメラアセンブリのうちの１つが、前方カメラアセンブリとして構成され、少なくとも２つのカメラアセンブリのうちの別の１つが、後方カメラアセンブリとして構成される。前方カメラアセンブリの光検知領域が、第１の照度を検出し、後方カメラアセンブリの２つの検知領域が、第２の照度および第３の照度をそれぞれ検出した場合に、プロセッサは、第２の照度および第３の照度のうちの最大のものを後方の照度として決定し、後方の照度および第１の照度のうちの最大のものを最終照度として決定する、または第２の照度と第３の照度との平均値を後方の照度として求め、後方の照度および第１の照度のうちの最大のものを最終照度として求める、ように構成される。
【００２２】
一実施形態では、モバイル電子装置は、別のカメラアセンブリをさらに備える。別のカメラアセンブリは、画素アレイと制御回路とを備えるイメージセンサを備える。画素アレイは、光検知領域と撮像領域とを備える。制御回路は、光検知命令が受信された場合に、照度を検出するように別のカメラアセンブリの撮像センサの光検知領域を制御し、撮像命令を受信した場合に、画像を取得するように別のカメラアセンブリの撮像センサの撮像領域を制御するように構成される。
【００２３】
一実施形態では、モバイル電子装置は、前方カメラアセンブリおよび後方カメラアセンブリのうちの一方として構成された１つのカメラアセンブリを備え、上記別のカメラアセンブリは、前方カメラアセンブリおよび後方カメラアセンブリの他方として構成される。
【００２４】
本開示の実施形態のさらなる態様および利点は、以下の説明において部分的に与えられ、以下の説明から部分的に明らかになる、または本開示の実施形態を実施することにより理解されるはずである。
【００２５】
本開示の実施形態の上記および他の態様および利点は、図面を参照して行われる以下の説明から明らかになり、より容易に理解されるはずである。
【図面の簡単な説明】
【００２６】
【図１】本開示の一実施形態によるカメラアセンブリの概略図である。
【図２】本開示の実施形態による電子装置の概略立体図である。
【図３】本開示の一実施形態による電子装置の正面図および背面図である。
【図４】本開示の一実施形態による異なるカメラアセンブリの概略図である。
【図５】本開示の一実施形態による電子装置の正面図および背面図である。
【図６】本開示の一実施形態による電子装置の正面図および背面図である。
【図７】本開示の一実施形態による画素アレイの概略図である。
【図８】本開示の一実施形態による画素アレイの概略図である。
【図９】本開示の一実施形態による画素アレイの概略図である。
【図１０】本開示の一実施形態による画素アレイの概略図である。
【図１１】本開示の一実施形態による画素アレイの概略図である。
【図１２】本開示の一実施形態による画素アレイの概略図である。
【図１３】本開示の一実施形態による画素アレイの概略図である。
【図１４】本開示の一実施形態による画素アレイの概略図である。
【図１５】本開示の一実施形態による画素アレイの概略図である。
【発明を実施するための形態】
【００２７】
ここで、例示的な実施形態について詳細に述べる。実施形態の例は添付の図面に示されており、図面全体を通して、同一または類似の参照符号は、同一または類似の要素または同一または類似の機能を有する要素を表す。図面を参照しながら以下に説明する実施形態は例示にすぎず、本開示を説明するために使用されるものであり、本開示を限定するものとして理解されるべきではない。
【００２８】
本発明において、別段の指定または限定のない限り、第１の特徴が第２の特徴の「上（ｏｎ）」にある構造は、第１の特徴と第２の特徴とが直接接触する実施形態を含むことができ、さらに第１の特徴と第２の特徴とが中間媒体を介して間接的に接触する実施形態も含む。さらに、第１の特徴が第２の特徴の「上（ｏｎ）」、「上方（ｏｖｅｒ）」、または「上方（ａｂｏｖｅ）」にある構造は、第１の特徴が第２の特徴の真上または第２の特徴の斜め上にあることを示し得る、または第１の特徴の高さが第２の特徴よりも高いことを単に示し得る。第１の特徴が第２の特徴の「下方（ｂｅｌｏｗ）」、または「下方（ｕｎｄｅｒ）」にある構造は、第１の特徴が第２の特徴の真下または第２の特徴の斜め下にあることを示し得る、または第１の特徴の高さが第２の特徴よりも低いことを単に示し得る。
【００２９】
図１および図２を参照すると、本開示の実施形態によるカメラアセンブリ１００は、２つのレンズアセンブリ１０を備える。各レンズアセンブリ１０は、イメージセンサ１２を備える。各イメージセンサ１２は、画素アレイ１２２と制御回路１２４とを備える。
【００３０】
画素アレイ１２２は、光検知領域１２２２と撮像領域１２２４とを備える。制御回路１２４は、光検知命令を受信した場合に照度を検出するように光検知領域１２２２を制御するように構成される。制御回路１２４は、撮像命令を受信した場合に画像を取得するように撮像領域１２２４を制御するようにさらに構成される。
【００３１】
一部の実施形態では、レンズアセンブリ１０は、フィルタ１４をさらに備える。フィルタ１４と撮像領域１２２４とは対応して配置される。光は、フィルタ１４を通過した後に撮像領域１２２４に達する。フィルタ１４は、ＲＧＢフィルタ１４とすることができる。ＲＧＢフィルタ１４は、カラー画像を得るために、光Ｌがフィルタ１４を通過して撮像領域１２２４を通過することを可能にするようにベイヤー型アレイに構成することができる。さらに、一部の実施形態では、レンズアセンブリ１０は、可視フィルタをさらに備え得る。可視フィルタと光検知領域１２２２とは、光Ｌが可視フィルタを通過して光検知領域１２２２に到達することを可能にするように対応して配置される。このようにして、光Ｌが可視フィルタを通過した後、光Ｌの可視光が光検知領域１２２２に到達することができて、光検知領域１２２２は、可視光の照度を検出することができ、従って光Ｌにおける、赤外光、紫外光などの可視ではない光の干渉を回避することができる。
【００３２】
本開示の実施形態によるカメラアセンブリ１００は、本開示の実施形態による電子装置１０００に適用することができる。電子装置１０００は、プロセッサ２００をさらに備える。プロセッサ２００は、光検知命令および撮像命令を生成するように構成される。一部の実施形態では、電子装置１０００は、表示画面３００をさらに備える。表示画面３００は、ビデオ、画像、テキスト、アイコンなどのデータ情報を表示するように構成される。
【００３３】
上記のカメラアセンブリ１００および電子装置１０００において、制御回路１２４は、画素アレイ１２２を制御することにより、照度の検出と画像の取得との両方を実現することができる。これにより、カメラ部品と光学センサ部品との両方とも配置する必要がなくなり、部品点数が削減され、表示画面３００を配置するためのスペースの比率を大きくすることができ、従って電子装置１０００の画面対本体比が大きくなる。
【００３４】
一部の実施形態では、２つのレンズアセンブリ１０は、主レンズアセンブリと副レンズアセンブリとを備える。主レンズアセンブリの撮像領域の面積は、副レンズアセンブリの撮像領域の面積よりも大きく、主レンズアセンブリは、より良好な撮像品質を実現することができる。さらに、主レンズアセンブリの画素アレイ１２２の面積は、副レンズアセンブリの画素アレイ１２２の面積と同じであっても異なっていてもよい。
【００３５】
電子装置１０００は、携帯電話、タブレットコンピュータ、スマートウォッチなどであり得る。本開示の実施形態による電子装置１０００について、携帯電話機を例として説明する。カメラアセンブリ１００によって検出された照度は、電子装置１０００の表示画面３００の表示輝度を調整するための基礎として考えることができる。例えば、照度が高い場合には、表示画面３００の表示輝度を高めることができる。照度が高い値から特定の閾値未満の値に変化した場合、ユーザが電話に応答していると判定して、表示画面３００をオフにすることができる。カメラアセンブリ１０によって得られた画像は、表示画面３００上に表示され得る、または読み取りまたは送信のために電子装置１０００の記憶媒体に記憶され得る。
【００３６】
カメラアセンブリ１００は、表示画面３００と共に、電子装置１０００の前面４００に設けることができる。カメラアセンブリ１００はまた、電子装置１０００の背面５００または側面に配置され得る。カメラアセンブリ１００の２つのレンズアセンブリ１０は、横方向または縦方向に配置することができる。
【００３７】
プロセッサ２００は、光検知命令および撮像命令を生成するように構成される。さらに、プロセッサ２００は、光検知命令および撮像命令を制御回路１２４に送信するように構成される。一部の実施形態では、プロセッサ２００は、光検知命令を別個に生成して送信することができる、または撮像命令を別個に生成して送信することができる、または光検知命令と撮像命令とを同時に生成して送信することができる。光検知命令および撮像命令は、入力操作を受けた場合にプロセッサ２００によって生成され得る。入力操作は、ユーザまたはアプリケーション環境によって入力された操作とすることができる。例えば、本開示の実施形態による携帯電話機では、光検知命令および撮像命令は、ユーザからの携帯電話機へのタッチ操作、または（物理キー、仮想キーを含む）特定の機能キーの押下操作を受けた後に、プロセッサ２００によって生成され得る。一部の実施形態では、光検知命令および撮像命令は、携帯電話機のシステム時間が所定の時点に達した場合に、プロセッサ２００によって生成され得る。
【００３８】
単一の制御回路１２４が、光検知命令と撮像命令とを同時に受信することができる。換言すれば、制御回路１２４は、照度を検出するように光検知領域１２２２を制御することと、画像を取得するように撮像領域１２２４を制御することと、を同時に行うことができる。当然のことながら、制御回路１２４はまた、照度を検出するように光検知領域１２２２を制御するための光検知命令を別個に受信する、または画像を取得するように撮像領域１２２４を制御するための撮像命令を別個に受信する、ように構成され得る。制御回路１２４が光検知命令および撮像命令を受信しない場合、光検知領域１２２２および撮像領域１２２４は非動作状態になっていてもよい。
【００３９】
２つの制御回路１２４は、光検知命令と撮像命令とを別々に受信してもよい。カメラアセンブリ１００は、２つの光検知命令および２つの撮像命令を生成することができ、それらは第１の光検知命令、第２の光検知命令、第１の撮像命令、および第２の撮像命令であり得る。第１の光検知命令は、第１の制御回路１２４のみに送信され、第２の制御回路１２４には送信されない場合がある。第２の光検知命令は、第２の制御回路１２４のみに送信され、第１の制御回路１２４には送信されない場合がある。同様に、第１の撮像命令は、第１の制御回路１２４のみに送信され、第２の制御回路１２４には送信されない場合がある。第２の撮像命令は、第２の制御回路１２４のみに送信され、第１の制御回路１２４には送信されない場合がある。２つの制御回路１２４は、光検知命令と撮像命令とを同時に受信してもよい。例えば、カメラアセンブリ１００は、光検知命令および撮像命令を生成してもよい。光検知命令は、第１の制御回路１２４と第２の制御回路１２４とに同時に送信される。換言すれば、１つの光検知命令を用いて、照度を検出するように２つの光検知領域１２２２を制御することができる。同様に、撮像命令は、第１の制御回路１２４と第２の制御回路に同時に送信される。換言すれば、１つの撮像命令を用いて、画像を取得するように２つの撮像領域１２２４を制御することができる。
【００４０】
一部の実施形態では、画素アレイ１２２は、アレイ状に配置された複数の画素を含む。光検知領域１２２２内の画素は、照度を検出するように構成される。撮像領域１２２４内の画素は、画像を取得するように構成される。各画素は、その画素に到達する光の照度に応じて対応する電気量を発生させることができる。制御回路１２４は、各画素に電気的に接続されている。制御回路１２４は、受信した光検知命令または撮像命令に応じて対応する画素で発生した電気量を取得し、プロセッサ２００を介して電気量の大きさをさらに解析して、対応する画素に到達する光の照度を求める、またはプロセッサ２００を介していくつかの画素に到達する光の照度について包括的な解析をさらに実行して、画像を取得する。
【００４１】
再び図２を参照すると、一部の実施形態では、単一のカメラアセンブリ１００がある。単一のカメラアセンブリ１００は、前方カメラアセンブリ１００ａとして構成される。２つのイメージセンサ１２の光検知センサ１２２２が、第１の照度および第２の照度をそれぞれ検出した場合、プロセッサ２００は、第１の照度および第２の照度のうちの最大のものを最終照度として選択するように構成される、またはプロセッサ２００は、第１の照度と第２の照度との平均値を最終照度として求めるように構成される。
【００４２】
前方カメラアセンブリ１００ａおよび表示画面３００は、電子装置１０００の前面４００に配置されている。前方カメラアセンブリ１００ａは、前面４００上の照度を検出すると同時に前面４００とは反対側の画像を取得するように構成されてもよい。
【００４３】
このようにして、プロセッサ２００は、２つの光検知領域１２２２によってそれぞれ得られた第１の照度および第２の照度に対して包括的な解析を実行した後に最終照度を得ることができる。電子装置１０００は、例えば表示画面３００の表示輝度を調整するなど、最終照度に応じて対応する制御をさらに実行する。一部の実施形態では、使用中に、２つのレンズアセンブリ１０が極めて異なる照度を受けるという状況があり得る。例えば、ユーザが木陰の下で電子装置１０００を操作する場合、一方のレンズアセンブリ１０が陰になり、他方のレンズアセンブリ１０が直射日光の下に露出されて、２つの光検知領域１２２２によって検出された第１の照度と第２の照度との間に大きな差があり得る場合がある。プロセッサ２００は、第１の照度および第２の照度を処理して最終照度を取得し、最終照度に従って表示画面３００の表示輝度を調整し、それによって表示輝度が高すぎたり低すぎたりすることを防止する。
【００４４】
さらに、前方カメラアセンブリ１００ａ内の２つのレンズアセンブリ１０は、同時にまたは時分割で撮像を実現することができる。
【００４５】
前方カメラアセンブリ１００ａ内の２つの光検知領域１２２２および２つの撮像領域１２２４のそれぞれの作動または非作動は、互いに独立している。前方カメラアセンブリ１００ａの動作状態は、２つの光検知領域１２２２および２つの撮像領域１２２４のそれぞれが作動しているか否かを示す組み合わせによって表すことができる。表１に示すように、「√」という指示が光検知領域１２２２または撮像領域１２２４に使用されている場合、それは光検知領域１２２２または撮像領域１２２４が作動していることを意味する。「×」という指示が光検知領域１２２２または撮像領域１２２４に使用されている場合、それは光検知領域１２２２または撮像領域１２２４が作動していないことを意味する。
【表１】
2020504953.tif 000003
【００４６】
１つの実施形態では、前方カメラアセンブリ１００ａ内の２つのレンズアセンブリ１０は、同時に撮像を実現して撮像品質を最適化することができる。例えば、前方カメラアセンブリ１００ａ内の２つのレンズアセンブリ１０は、同時に撮像を実現して、複数のフレームの第１の画像と複数のフレームの第２の画像とを得ることができる。プロセッサ２００は、複数のフレームの第１の画像および複数のフレームの第２の画像を解析し、最高の画像品質を有する画像のフレームを最終画像として選別することができる。別の実施形態では、プロセッサ２００は、第１の画像および第２の画像に対してマージおよびスプライス処理を実行して、最終画像の色および鮮明度を向上させることができる。
【００４７】
別の実施形態では、前方カメラアセンブリ１００ａ内の１つのレンズアセンブリ１０は、撮像品質を最適化するように、撮像において他のレンズアセンブリ１０を補助するように構成されてもよい。例えば、前方カメラアセンブリ１００ａ内の１つのレンズアセンブリ１０は、現在の周囲の明るさを検出し、プロセッサ２００は、周囲の明るさを解析して、適切な明るさの画像を得るように他のレンズアセンブリ１０内の各画素に対応する各光学センサ部品の露光時間を制御する。このようにして、カメラアセンブリ１００の撮像中に、一方のレンズアセンブリ１０を使用して周囲の明るさを検出して、他方のレンズアセンブリ１０の撮像を補助して、最終画像が露出過多になりやすい、または明るさが低すぎるという回避することができ、それによって画質が向上する。
【００４８】
さらなる実施形態では、前方カメラアセンブリ１００ａ内の２つのレンズアセンブリ１０を順次作動させて、撮像品質を最適化するように撮像を実現することができる。例えば、前方カメラアセンブリ１００ａの一方のレンズアセンブリ１０は広角レンズを採用し、他方のレンズアセンブリ１０は望遠レンズを採用する。カメラアセンブリ１００が撮像を実現する場合、プロセッサ２００は、撮像を実現するために広角レンズを使用するレンズアセンブリ１０を作動させることを可能にする。ユーザがプレビュー画像の拡大操作を行ったことを電子装置１０００が検出し、プロセッサ２００がプレビュー画像の所定の値よりも大きい拡大率を導出する場合、プロセッサ２００は、撮像を実現するために望遠レンズを使用するレンズアセンブリ１０を直ちに作動させる。広角レンズは大きな視野と短い焦点距離を有し、望遠レンズは小さな視野と長い焦点距離を有する。ユーザがプレビュー画像の拡大操作をした場合、ユーザは遠景の写真を撮りたいことを示し、この場合、遠景の鮮明な写真を得るために望遠レンズを採用する必要があり、従って、画像の解像度を向上させるために、カメラアセンブリ１００を、望遠レンズを用いるレンズアセンブリ１０に切り替えて撮像を実現する必要がある。
【００４９】
しかしながら、電子装置１０００の一部の使用シナリオでは、電子装置１０００の前面４００および背面５００上の照度が明らかに異なるという状況があり得る。例えば、ユーザは、前面４００をテーブルの上面に対向にして電子装置１０００（例えば、携帯電話）をテーブルの上に置く場合がある。前方カメラアセンブリ１００ａによって検出された前面４００上の照度のみに基づいて表示画面３００の表示輝度が制御される場合、表示画面３００は、非表示状態または低輝度表示状態になり得る。ユーザが電子装置１０００を使用のために突然持ち上げた場合、電子装置１０００は、表示画面３００を目覚めさせる、または表示画面３００の輝度を短時間で上げる必要がある。ユーザが電子装置１０００を頻繁に持ち上げたり降ろしたりする場合、電子装置１０００は、表示画面３００の明るさを制御するために大量の電気エネルギーを消費することになる。別の例では、ユーザが屋内で横たわっているときにユーザが電子装置１０００を操作する場合、背面５００は、天井に取り付けられた光源（天井灯など）に対向し、背面５００の照度は、前面４００上のものより大きくなり得る。この場合、前面４００の照度のみに応じて表示画面３００の明るさを調整した場合、明るさが低いためにユーザは表示内容を把握できない可能性がある。よって、プロセッサ２００が電子装置１０００の前面４００上の照度と背面５００上の照度の両方を処理することができる場合、最適な照度を得ることができる。
【００５０】
図３を参照すると、一部の実施形態では、複数のカメラアセンブリ１００がある。それらのうちの１つが前方カメラアセンブリ１００ａとして構成され、それらのうちの別のものが後方カメラアセンブリ１００ｂとして構成される。前方カメラアセンブリ１００ａおよび表示画面３００は、電子装置１０００の前面４００に配置されている。前方カメラアセンブリ１００ａは、前面４００上の照度を検出すると同時に前面４００とは反対側の画像を取得するように構成されてもよい。後方カメラアセンブリ１００ｂは、電子装置１０００の背面５００に配置されている。後方カメラアセンブリ１００ｂは、背面５００上の照度を検出すると同時に背面５００とは反対側の画像を取得するように構成されてもよい。
【００５１】
前方カメラアセンブリ１００ａおよび後方カメラアセンブリ１００ｂ内の４つの光検知領域１２２２および４つの撮像領域１２２４のそれぞれの作動または非作動は、互いに独立している。前方カメラアセンブリ１００ａの動作状態は、前方カメラアセンブリ１００ａ内の光検知領域１２２２および撮像領域１２２４のそれぞれが作動しているか否かを示す組み合わせによって表すことができる。後方カメラアセンブリ１００ｂの動作状態は、後方カメラアセンブリ１００ｂ内の光検知領域１２２２および撮像領域１２２４のそれぞれが作動しているか否かを示す組み合わせによって表すことができる。表２に示すように、「√」という指示が光検知領域１２２２または撮像領域１２２４に使用されている場合、それは光検知領域１２２２または撮像領域１２２４が作動していることを意味する。「×」という指示が光検知領域１２２２または撮像領域１２２４に使用されている場合、それは光検知領域１２２２または撮像領域１２２４が作動していないことを意味する。しかしながら、前方カメラアセンブリ１００ａの動作状態および後方カメラアセンブリ１００ｂの動作状態は、以下の表に限定されず、本明細書に列挙されていない他の動作状態が存在してもよい。
【表２】
2020504953.tif 000004
【００５２】
一部の動作状態では、例えば動作状態Ｎｏ．１では、前方カメラアセンブリ１００ａ内の２つの光検知領域１２２２が第１の照度および第２の照度をそれぞれ検出し、後方カメラアセンブリ１００ｂ内の２つの光検知領域１２２２が第３の照度および第４の照度をそれぞれ検出する。この場合、電子装置１０００の最終照度は、以下の４つの方法のうちの１つに基づいて計算され得る。
【００５３】
方法１として、プロセッサ２００は、第１の照度、第２の照度、第３の照度、および第４の照度のうちの最大のものを最終照度として選択するように構成されてもよい。
【００５４】
方法２として、プロセッサ２００は、前方の照度（前方の照度は、前方カメラアセンブリ内の光検知領域によって検出される照度を指す）として第１の照度と第２の照度との平均値を求め、後方の照度（後方の照度は、後方カメラアセンブリ内の光検知領域によって検出された照度を指す）として第３の照度と第４の照度との平均値を求め、前方の照度と後方の照度とのうちの最大のものを最終照度として選択する、ように構成されてもよい。
【００５５】
方法３として、プロセッサ２００は、第１の照度および第２の照度のうちの最大のものを前方の照度として選択し、第３の照度と第４の照度との平均値を後方の照度として求め、前方の照度および後方の照度のうちの最大のものを最終照度として選択する、ように構成されてもよい。
【００５６】
方法４として、プロセッサ２００は、前方の照度として第１の照度と第２の照度との平均値を求め、第３の照度および第４の照度のうちの最大のものを後方の照度として選択し、前方の照度および後方の照度のうちの最大のものを最終照度として選択する、ように構成されてもよい。
【００５７】
一部の実施形態では、プロセッサ２００は、上記４つの方法の間で計算方法を切り替えることができ、これは、ユーザによって手動で、または照度の特定の値に従って自動的に実現され得る。例えば、第１の照度、第２の照度、第３の照度、および第４の照度のそれぞれが所定の照度閾値未満である場合、ユーザは暗い環境中で電子装置１０００を使用する可能性があると判定することができ、従って、プロセッサ２００は、計算方法を方法１に切り替えること、すなわち最大照度を最終照度として選択することができる。
【００５８】
この目的のために、前方カメラアセンブリ１００ａおよび後方カメラアセンブリ１００ｂ内の４つの光検知領域１２２２のすべてが、照度を検出するように構成され、プロセッサ２００によって得られる最終照度は、環境の実際の照度を客観的に反映することができる。
【００５９】
一部の動作状態では、例えば表２の動作状態Ｎｏ．４では、前方カメラアセンブリ１００ａ内の１つの光検知領域１２２２が第１の照度を検出し、後方カメラアセンブリ１００ｂ内の１つの光検知領域１２２２が第２の照度を検出する。プロセッサ２００は、最終照度として第１の照度および第２の照度のうちの最大のものを選択するように構成される。
【００６０】
この目的のために、前方カメラアセンブリ１００ａおよび後方カメラアセンブリ１００ｂのそれぞれは、エネルギーを節約するように作動する場合、１つの光検知領域１２２２を作動させる。前方カメラアセンブリ１００ａ内の１つの光検知領域１２２２が故障した場合、前方カメラアセンブリ１００ａ内の他の光検知領域１２２２を使用して第１の照度を検出することができる。後方カメラアセンブリ１００ｂ内の１つの光検知領域１２２２が故障した場合、後方カメラアセンブリ１００ｂ内の他の光検知領域１２２２を使用して第２の照度を検出することができる。よって、電子装置１０００の通常の使用は影響を受けない。
【００６１】
一部の動作状態では、例えば表２の動作状態Ｎｏ．２では、前方カメラアセンブリ１００ａ内の２つの光検知領域１２２２が第１の照度および第２の照度をそれぞれ検出し、後方カメラアセンブリ１００ｂ内の１つの光検知領域１２２２が第３の照度を検出する。このようにして、電子装置１０００の最終照度は、以下の２つの方法のうちの１つに基づいて計算され得る。
【００６２】
方法１として、プロセッサ２００は、第１の照度および第２の照度のうちの最大のものを前方の照度として選択し、前方の照度および第３の照度のうちの最大のものを最終照度として選択する、ように構成される。
【００６３】
方法２として、プロセッサ２００は、前方の照度として第１の照度と第２の照度との平均値を求め、前方の照度および第３の照度のうちの最大のものを最終照度として選択する、ように構成される。
【００６４】
一部の実施形態では、プロセッサ２００は、上記２つの方法の間で計算方法を切り替えることができる。後方カメラアセンブリ１００ｂは、エネルギーを節約するように作動する場合、１つの光検知領域１２２２のみを作動させる。後方カメラアセンブリ１００ｂ内の１つの光検知領域１２２２が故障した場合、後方カメラアセンブリ１００ｂ内の他の光検知領域１２２２を使用して第３の照度を検出することができる。よって、電子装置１０００の通常の使用は影響を受けない。
【００６５】
一部の動作状態では、例えば表２の動作状態Ｎｏ．３では、前方カメラアセンブリ１００ａ内の１つの光検知領域１２２２が第１の照度を検出し、後方カメラアセンブリ１００ｂ内の２つの光検知領域１２２２が第２の照度および第３の照度をそれぞれ検出する。このようにして、電子装置１０００の最終照度は、以下の２つの方法のうちの１つに基づいて計算され得る。
【００６６】
方法１として、プロセッサ２００は、第２の照度および第３の照度のうちの最大のものを後方の照度として選択し、後方の照度および第１の照度のうちの最大のものを最終照度として選択する、ように構成される。
【００６７】
方法２として、プロセッサ２００は、後方の照度として第２の照度と第３の照度との平均値を求め、後方の照度および第１の照度のうちの最大のものを最終照度として選択する、ように構成される。
【００６８】
一部の実施形態では、プロセッサ２００は、上記２つの方法の間で計算方法を切り替えることができる。前方カメラアセンブリ１００ａは、エネルギーを節約するように作動する場合、１つの光検知領域１２２２のみを作動させる。前方カメラアセンブリ１００ａ内の１つの光検知領域１２２２が故障した場合、前方カメラアセンブリ１００ａ内の他の光検知領域１２２２を使用して第１の照度を検出することができる。よって、電子装置１０００の通常の使用は影響を受けない。
【００６９】
さらに、前方カメラアセンブリ１００ａと後方カメラアセンブリ１００ｂとは、同時にまたは時分割で撮像を実現することができる。
【００７０】
１つの実施形態では、前方カメラアセンブリ１００ａと後方カメラアセンブリ１００ｂとは同時に撮像を実現することができる。例えば、プロセッサ２００は、前方カメラアセンブリ１００ａと後方カメラアセンブリ１００ｂとの両方を作動させる。後方カメラアセンブリ１００ｂは、電子装置１０００の背後の風景の写真を撮るように構成される。前方カメラアセンブリ１００ａは、ユーザの顔の写真を撮るように構成される。電子装置１０００の表示画面３００は、前方カメラアセンブリ１００ａと後方カメラアセンブリ１００ｂとの両方によって同時に取り込まれた画像を表示する。さらに、プロセッサ２００は、前方カメラアセンブリ１００ａと後方カメラアセンブリ１００ｂとの両方によって同時に取り込まれた画像を互いに関連付けて記憶することができる。ユーザが記憶された画像を閲覧する場合、風景とその風景を楽しむユーザの顔との両方をチェックすることができ、それによりユーザエクスペリエンスを向上させる。
【００７１】
別の実施形態では、前方カメラアセンブリ１００ａおよび後方カメラアセンブリ１００ｂは時分割で撮像を実現することができる。例えば、後方カメラアセンブリ１００ｂが停止されている間に前方カメラアセンブリ１００ａが作動している、または前方カメラアセンブリ１００ａが停止にされているが後方カメラアセンブリ１００ｂが作動している。このようにして、電子装置１０００は、電子装置１０００の背後の風景の写真を撮ることができるだけでなく、セルフィーを取り込むこともできる。
【００７２】
前方カメラアセンブリ１００ａ内の２つのレンズアセンブリ１０は、同時にまたは時分割で撮像を実現して撮像品質を最適化することができる。後方カメラアセンブリ１００ｂ内の２つのレンズアセンブリ１０もまた、同時にまたは時分割で撮像を実現して撮像品質を最適化することができ、このことはここでは説明されない。
【００７３】
図４〜図６を参照すると、一部の実施形態では、電子装置１０００は、異なるカメラアセンブリ６００をさらに備える。異なるカメラアセンブリ６００は、イメージセンサ３０を備える。イメージセンサ３０は、画素アレイ３２と制御回路３４とを備える。画素アレイ３０は、光検知領域３２２と撮像領域３２４とを備える。制御回路３４は、光検知命令が受信された場合に、照度を検出するように光検知領域３２２を制御し、撮像命令を受信した場合に、画像を取得するように撮像領域３２４を制御するように構成される。
【００７４】
図５を参照すると、一部の実施形態では、前方カメラアセンブリ１００ａとして構成された単一のカメラアセンブリ１００がある。異なるカメラアセンブリ６００は、後方カメラアセンブリ６００ｂとして構成される。
【００７５】
図６を参照すると、一部の実施形態では、後方カメラアセンブリ１００ｂとして構成された単一のカメラアセンブリ１００がある。異なるカメラアセンブリ６００は、前方カメラアセンブリ６００ａとして構成される。
【００７６】
プロセッサ２００は、異なるカメラアセンブリ６００およびカメラアセンブリ１００によって検出された照度および取得された画像に対して包括的な処理を実行して、最終照度および最終画像を取得することができる。処理方法は、２つのカメラアセンブリ１００によって検出された照度および２つのカメラアセンブリ１００によって取得された画像に従って最終照度および最終画像を取得するためにプロセッサ２００によって使用されるものと同様であってもよく、このことはここでは説明されない。
【００７７】
一部の実施形態では、画素アレイ１２２の面積に対する撮像領域１２２４の面積の比が、０．６以上である、および／または画素アレイ１２２の面積に対する光検知領域１２２２の面積の比が、０．１以上である。一部の実施形態では、画素アレイ１２２の面積に対する撮像領域１２２４の面積の比は、０．６、０．７、０．７７、０．８、０．９などであり得る。画素アレイ１２２の面積に対する光検知領域１２２２の面積の比は、０．１、０．２、０．２２、０．４などであり得る。従って、照度を検出する機能を有することに基づいて、イメージセンサ１２がより良好な撮像効果を有することが確保される。
【００７８】
一部の実施形態では、２つのレンズアセンブリ１０の２つの画素アレイ１２２は、同じであってもよいし、同じでなくてもよい。
【００７９】
図７および図８を参照すると、一部の実施形態では、撮像領域１２２４は連続しており、画素アレイ１２２の中央に位置している。光検知領域１２２２は、撮像領域１２２４の周囲に配置されている。よって、連続撮像領域１２２４が連続かつ完全な画像を生成することは容易である。一部の実施形態では、撮像領域１２２４の中心と画素アレイ１２２の中心とは一致してもよい。撮像領域１２２４は中心対称構造を採用してもよい。光検知領域１２２２は、撮像領域１２２４の１つ以上の側面に配置されてもよい。
【００８０】
一部の実施形態では、光検知領域１２２２は、同じ面積を有し、かつ互いに離間した複数の光検知サブ領域１２２５を含み得る。
【００８１】
光検知領域１２２２によって検出された照度は、光検知領域１２２２内のすべての画素点によって検出された照度を考慮することによって得ることができる。よって、客観的な照度を得るために、光検知領域１２２２はできるだけ分散される。換言すれば、光検知領域１２２２は、複数の離間した光検知サブ領域１２２５として分散されている。
【００８２】
互いに離間した複数の光検知サブ領域１２２５は、光検知領域１２２２の検出範囲を広げ、光検知領域１２２２の検出精度を向上させることができる。一実施形態では、４つの光検知サブ領域１２２５がある。光検知サブ領域１２２５は同じ面積を有することができる。複数の光検知サブ領域１２２５は、撮像領域１２２４の上方、下方、左側、右側にそれぞれ配置することができる。複数の光検知サブ領域の数および位置は、本明細書では限定されない。
【００８３】
図９を参照すると、一部の実施形態では、複数の光検知サブ領域１２２５は、左側光検知サブ領域１２２６と右側光検知サブ領域１２２７とを含む。左側光検知サブ領域１２２６は撮像領域１２２４の左側にあり、右側光検知サブ領域１２２７は撮像領域１２２４の右側にある。左側光検知サブ領域１２２６と右側光検知サブ領域１２２７とは対称に配置されている。左側光検知サブ領域１２２６は、左側の照度を検出する（左側の照度は、左側光検知サブ領域によって検出された照度を指す）。右側光検知サブ領域１２２７は、右側の照度を検出する（右側の照度とは、右側光検知サブ領域で検出された照度を指す）。光検知領域１２２が検出する照度は、左側の照度と右側の照度との平均値である。
【００８４】
この目的のために、光検知領域１２２で検出される照度に対する左側光検知サブ領域１２２６および右側光検知サブ領域１２２７の影響は本質的に同じであり、従って、撮像領域の左側または右側における光の変化に対する光検知領域１２２の感度が高すぎるために検出結果が不正確であるという問題を回避できる。
【００８５】
一部の実施形態では、複数の光検知サブ領域１２２５は、上方光検知サブ領域１２２８と下方光検知サブ領域１２２９とを含む。上方検知サブ領域１２２８は撮像領域１２２４の上方にある。下方光検知サブ領域１２２９は、撮像領域１２２４の下方にある。上方光検知サブ領域１２２８と下方光検知サブ領域１２２９とは対称に配置されている。上方光検知サブ領域１２２８は、上方の照度を検出する（上方の照度は、上方光検知サブ領域で検出された照度を指す）。下方光検知サブ領域１２２９は、下方の照度を検出する（下方の照度は、下方光検知サブ領域によって検出された照度を指す）。光検知領域１２２が検出する照度は、上方の照度と下方の照度との平均値である。
【００８６】
この目的のために、光検知領域１２２で検出される照度に対する上方光検知サブ領域１２２８および下方光検知サブ領域１２２９の影響は本質的に同じであり、従って、撮像領域の上方または下方における光の変化に対する光検知領域１２２の感度が高すぎるために検出結果が不正確であるという問題を回避できる。
【００８７】
一部の実施形態では、複数の光検知サブ領域１２２５は、左側光検知サブ領域１２２６と、右側光検知サブ領域１２２７と、上方光検知サブ領域１２２８と、下方光検知サブ領域１２２９と、を含む。左側光検知サブ領域１２２６と右側光検知サブ領域１２２７とは対称に配置され、上方光検知サブ領域１２２８と下方光検知サブ領域１２２９とは対称に配置されている。一実施形態では、左側光検知サブ領域１２２６、右側光検知サブ領域１２２７、上方光検知サブ領域１２２８、および下方光検知サブ領域１２２９は中心対称である。左側光検知サブ領域１２２６は、左側の照度を検出する。右側光検知サブ領域１２２７は、右側の照度を検出する。上方光検知サブ領域１２２８は、上方の照度を検出する。下方光検知サブ領域１２２９は、下方の照度を検出する。光検知領域１２２が検出する照度は、左側の照度と、右側の照度と、上方の照度と、下方の照度と、の平均値である。
【００８８】
この目的のために、光検知領域１２２で検出される照度に対する左側光検知サブ領域１２２６、右側光検知サブ領域１２２７、上方光検知サブ領域１２２８、および下方光検知サブ領域１２２９の影響は本質的に同じであり、従って、撮像領域の上方、下方、左側、または右側における光の変化に対する光検知領域１２２の感度が高すぎるために検出結果が不正確であるという問題を回避できる。
【００８９】
サブ領域が対称に配置されているとは、サブ領域の面積および形状が撮像領域１２２４に関して対称であることを意味する。
【００９０】
図１０および図１１を参照すると、一部の実施形態では、画素アレイ１２２は円形または楕円形である。撮像領域１２２４は、画素アレイ１２２の内接矩形の形状である。光検知領域１２２２は、円または楕円の内接矩形以外の領域を含む。
【００９１】
従って、撮像領域１２２４は、画素アレイ１２２の中央にあり、画像を容易に取得することができる。光検知領域１２２２は、分散されている。撮像領域１２２４の左側の光検知領域１２２２と撮像領域１２２４の右側の光検知領域１２２２とは対称である。光検知領域１２２２は、撮像領域１２２４の左側および右側の光の変化に対して同じ感度を有する。撮像領域１２２４の上方の光検知領域１２２２と撮像領域１２２４の下方の光検知領域１２２２とは対称である。光検知領域１２２２は、撮像領域１２２４の上方および下方の光の変化に対して同じ感度を有する。よって、光検知領域１２２２は正確な検出結果を得ることができる。
【００９２】
図１２および図１３を参照すると、画素アレイは矩形の形状である。撮像領域１２２４は、矩形の内接円または内接楕円の形状である。光検知領域１２２２は、矩形の内接円または内接楕円以外の領域を含む。
【００９３】
従って、撮像領域１２２４は円または楕円の形状である。ユーザは、さらなる後処理をすることなく、撮像領域１２２４を介して円形または楕円形の画像を取得することができ、従って、ユーザの個別の要求を満たすことができる。光検知領域１２２２は、光検知領域１２２２によって検出される照度の精度を向上させることができるように分散される。
【００９４】
よって、撮像領域１２２４は、画素アレイ１２２の中央にあり、画像を容易に取得することができる。撮像領域１２２４の上方の光検知領域１２２２と撮像領域１２２４の下方の光検知領域１２２２とは対称である。撮像領域１２２４の左側の光検知領域１２２２と撮像領域１２２４の右側の光検知領域１２２２とは対称である。
【００９５】
図１４および図１５を参照すると、一部の実施形態では、撮像領域１２２４は連続しており、光検知領域１２２２は連続している。撮像領域１２２４と光検知領域１２２２とは共通の境界を共有している。２つのレンズアセンブリ１０の２つの撮像領域１２２４は、２つのレンズアセンブリ１０の２つの光検知領域１２２２の間に配置されている。よって、画素アレイ１２２は単純な構造を有する。制御回路１２４は、光検知命令または撮像命令を受信した後、対応する撮像領域１２２４または対応する光検知領域１２２２内の画素を容易に見つけることができる。一部の実施形態では、画素アレイ１２２の面積に対する撮像領域１２２４の面積の比は、０．８である。画素アレイ１２２の面積に対する光検知領域１２２２の面積の比は、０．２である。撮像領域１２２４は、撮像領域１２４が矩形の形状の画像を取得することができるように、矩形の形状にしてもよい。光検知領域１２２２もまた、矩形の形状であってよく、光検知領域１２２２の長辺は、撮像領域１２２４の長辺または撮像領域１２２４の短辺と交差し得る。
【００９６】
２つのレンズアセンブリ１０の２つの撮像領域１２２４は、２つのレンズアセンブリ１０の２つの光検知領域１２２２の間に配置されている。一部の実施形態では、図１４に示すように、２つのレンズアセンブリ１０が横方向に配置されている場合、一方の光検知領域１２２２は左のイメージセンサ１２の左側に配置され、他方の光検知領域１２２２は右のイメージセンサ１２の右側に配置される。図１５に示すように、２つのレンズアセンブリ１０を縦に配置する場合、一方の光検知領域１２２２は上方のイメージセンサ１２の上方に配置され、他方の光検知領域１２２２は下方のイメージセンサ１２の下方に配置される。このようにして、カメラアセンブリ１０の２つの光検知領域１２２２は広範囲で検出することができ、より正確な検出結果を得ることができる。
【００９７】
イメージセンサ１２の画素アレイ１２２の配置は、本明細書では説明しないが、イメージセンサ３０の画素アレイ３２の配置にも適している。異なるカメラアセンブリ６００は、フィルタ４０をさらに備える。フィルタ４０を通過した光は、イメージセンサ３０の撮像領域３２４に到達する。
【００９８】
本明細書全体を通して、「一実施形態（ａｎ  ｅｍｂｏｄｉｍｅｎｔ）」、「一部の実施形態（ｓｏｍｅ  ｅｍｂｏｄｉｍｅｎｔｓ）」、「一例（ａｎ  ｅｘａｍｐｌｅ）」、「特定の例（ａ  ｓｐｅｃｉｆｉｃ  ｅｘａｍｐｌｅ）」または「一部の例（ｓｏｍｅ  ｅｘａｍｐｌｅｓ）」に言及することは、実施形態または例に関連して説明した特定の特徴、構造、材料、または特性が、本開示の少なくとも１つの実施形態または例に含まれることを意味する。本明細書において、上記の用語の例示的な説明は、必ずしも同じ実施形態または例に言及しているわけではない。さらに、特定の特徴、構造、材料、または特性は、１つ以上の実施形態または例において任意の適切な方法で組み合わせることができる。さらに、当業者は、本開示で説明された実施形態または例において異なる実施形態または異なる特性を組み合わせることができる。
【００９９】
さらに、「第１」および「第２」という用語は説明のためにのみ使用され、相対的な重要性を示すもしくは黙示する、または示される技術的特徴の数を示すもしくは黙示するとみなすことはできない。よって、「第１」および「第２」で定義された特徴は、これらの特徴のうちの少なくとも１つを含んでもよいし、黙示してもよい。本開示の説明において、「複数（ａ  ｐｌｕｒａｌｉｔｙ  ｏｆ）」とは、別段の指定のない限り、２つまたは３つ以上を意味する。
【０１００】
フローチャートに記載された、または他の方法で本明細書で説明された任意のプロセスまたは方法は、プロセスにおける特定の論理機能またはステップを達成するための実行可能命令の１つ以上のモジュール、セグメント、またはコードの一部を含むと理解することができ、本開示の好ましい実施形態の範囲は、他の実装形態を含み、実行の順序は、当業者であれば理解するはずであるが、含まれる機能に応じて、同時にもしくは部分的に同時に実行する、または機能を実行するために逆の順序で実行することを含み、図示または説明の順序とは異なり得る。
【０１０１】
本明細書の他の方法で説明される、またはフローチャートに示されるロジックおよび／またはステップ、例えば、論理機能を実現するための実行可能命令の特定のシーケンステーブルは、命令実行システム、装置、もしくは機器（コンピュータベースのシステム、プロセッサを備えるシステム、または命令実行システム、装置、および機器から命令を取得して命令を実行することができる他のシステム）によって使用される、または命令実行システム、装置、および機器と組み合わせて使用される、任意のコンピュータ可読媒体で特に達成され得る。本明細書に関して、「コンピュータ可読媒体」は、命令実行システム、装置、または機器によってまたはそれらと組み合わせて使用されるプログラムを含むこと、記憶すること、伝達すること、伝播すること、または転送することに適応する任意の装置であり得る。コンピュータ可読媒体のより具体的な例としては、１つ以上のワイヤを有する電子接続（電子装置）、ポータブルコンピュータエンクロージャ（磁気装置）、ランダムアクセスメモリ（ＲＡＭ）、読み取り専用メモリ（ＲＯＭ）、消去可能プログラマブル読み取り専用メモリ（ＥＰＲＯＭまたはフラッシュメモリ）、光ファイバ装置、およびポータブルコンパクトディスク読み取り専用メモリ（ＣＤＲＯＭ）を挙げることができるがこれらに限定されない。加えて、コンピュータ可読媒体は、紙またはプログラムを上に印刷できる他の適切な媒体とすることさえもでき、これは、例えば、紙または他の適切な媒体を光学的にスキャンすることができ、次いで、場合により、必要に応じて他の適切な方法で編集、復号化、または処理して、プログラムを電気的に取得することができ、次いでプログラムをコンピュータメモリに記憶することができるためである。
【０１０２】
本開示の各部分は、ハードウェア、ソフトウェア、ファームウェア、またはそれらの組み合わせによって実現され得ることを理解されたい。上記の実施形態において、複数のステップまたは方法は、メモリに記憶され、適切な命令実行システムによって実行される、ソフトウェアまたはファームウェアによって実現されてもよい。例えば、別の実施形態と同様に、ハードウェアによって実現される場合、ステップまたは方法は、当技術分野で知られている以下の技法、すなわち、データ信号の論理機能実現するための論理ゲート回路を有する離散論理回路、適切な組み合わせ論理ゲート回路を有する特定用途向け集積回路、プログラマブルゲートアレイ（ＰＧＡ）、フィールドプログラマブルゲートアレイ（ＦＰＧＡ）などのうちの１つまたはそれらの組み合わせによって実現され得る。
【０１０３】
当業者であれば、本開示のための上記の例示的な方法におけるステップの全部または一部を、関連するハードウェアにプログラムにより命令することによって達成することができ、そのプログラムをコンピュータ可読記憶媒体に記憶することができ、プログラムは、コンピュータ上で実行されるとき、本開示の方法実施形態におけるステップのうちの１つまたは組み合わせを含むことが理解されよう。
【０１０４】
加えて、本開示の実施形態の各機能セルは、処理モジュールに一体化されてもよいし、これらのセルは別々の物理的存在であってもよいし、２つ以上のセルが処理モジュールに一体化されてもよい。一体化されたモジュールは、ハードウェアの形態またはソフトウェア機能モジュールの形態で実現することができる。一体化されたモジュールがソフトウェア機能モジュールの形態で実現され、スタンドアロン製品として販売または使用されるとき、一体化されたモジュールはコンピュータ可読記憶媒体に記憶されてもよい。
【０１０５】
上機の記憶媒体は、読み取り専用メモリ、磁気ディスク、ＣＤなどであり得る。
【図１】
2020504953.tif 000005
【図２】
2020504953.tif 000006
【図３】
2020504953.tif 000007
【図４】
2020504953.tif 000008
【図５】
2020504953.tif 000009
【図６】
2020504953.tif 000010
【図７】
2020504953.tif 000011
【図８】
2020504953.tif 000012
【図９】
2020504953.tif 000013
【図１０】
2020504953.tif 000014
【図１１】
2020504953.tif 000015
【図１２】
2020504953.tif 000016
【図１３】
2020504953.tif 000017
【図１４】
2020504953.tif 000018
【図１５】
2020504953.tif 000019
【国際調査報告】
2020504953.tif 000020
2020504953.tif 000021
2020504953.tif 000022